【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
１つ以上の表示サブ領域を有する少なくとも１つの表示領域においてメディアデータのコンテンツをレンダリングするための表示コンポジションデータを送信する方法であって、該表示コンポジションデータが、前記メディアデータのコンテンツ成分どうしの空間的関係及び時間的関係のうちの少なくとも１つを定義する、方法において、
夫々の表示領域及び／又は夫々の表示サブ領域について、当該夫々の表示領域又は表示サブ領域の視覚的構成がユーザによって如何にして変更され得るかを示す表示変更データを送信するステップ
を有する方法。
【請求項２】
前記表示変更データは、前記夫々の表示領域又は表示サブ領域の前記視覚的構成がユーザによって変更され得るか否かを示す変更ロックパラメータを含む、
請求項１に記載の方法。
【請求項３】
前記表示変更データは、前記夫々の表示領域又は表示サブ領域の前記視覚的構成のユーザによる変更に課される変更制約を示す少なくとも１つの変更パラメータを含む、
請求項１又は２に記載の方法。
【請求項４】
表示領域についての夫々の変更ロックパラメータは、前記表示コンポジションデータの対応するビュー要素に含まれる、
請求項２又は３に記載の方法。
【請求項５】
表示サブ領域についての夫々の変更ロックパラメータは、前記表示コンポジションデータの対応するエリア要素に含まれる、
請求項２乃至４のうちいずれか一項に記載の方法。
【請求項６】
前記少なくとも１つの変更パラメータは、夫々の表示領域において表示されるメディアデータが当該夫々の表示領域と異なる他の表示領域において表示され得るか否かを示すロック・ツー・ビューパラメータを含む、
請求項３乃至５のうちいずれか一項に記載の方法。
【請求項７】
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
請求項３乃至６のうちいずれか一項に記載の方法。
【請求項８】
前記ロック・ツー・ビューパラメータは、前記表示サブ領域に対応するコンポジションデータのエリア要素に含まれる、
請求項７に記載の方法。
【請求項９】
前記少なくとも１つの変更パラメータは、表示中に可視的である前記夫々の表示サブ領域の最低限の割合を定義する表示サブ領域可視パラメータを含む、
請求項３乃至８のうちいずれか一項に記載の方法。
【請求項１０】
前記表示サブ領域可視パラメータは、当該表示サブ領域に対応する表示コンポジションデータのエリア要素に含まれる、
請求項９に記載の方法。
【請求項１１】
前記表示サブ領域可視パラメータは、当該表示サブ領域と、該表示サブ領域と重なり合う他の表示サブ領域の総面積との比率に基づく、
請求項９又は１０に記載の方法。
【請求項１２】
サブ領域AreaNについての前記表示サブ領域可視パラメータVisibility(AreaN)は、次の式：
【数７】
2016540419.tif 000001
に従って決定され、AreaiはAreaNと重なり合う全てのAreaを指し、Transparencyは、対応する表示サブ領域の透明度の量に対応する重み係数に対応する、
請求項１１に記載の方法。
【請求項１３】
前記少なくとも１つの変更パラメータは、対応する表示領域又は表示サブ領域での表示中に可視的であるメディアコンテンツ成分の最低限の割合を定義する表示可視パラメータを含む、
請求項３乃至１２のうちいずれか一項に記載の方法。
【請求項１４】
１つ以上の表示サブ領域を有する少なくとも１つの表示領域でメディアデータのコンテンツを表示する方法であって、
前記少なくとも１つの表示領域でメディアデータのコンテンツをレンダリングするための、前記メディアデータのコンテンツ成分どうしの空間的関係及び時間的関係のうちの少なくとも１つを定義する表示コンポジションデータと、夫々の表示領域及び／又は夫々の表示サブ領域について、当該夫々の表示領域又は表示サブ領域の視覚的構成がユーザによって如何にして変更され得るかを示す表示変更データとを受信するステップと、
前記表示コンポジションデータによって定義される第１表示構成に従って前記表示領域で前記メディアデータのコンテンツ成分をレンダリングするステップであって、表示領域及び表示サブ領域が、前記表示変更データに応じて前記ユーザによって変更され得る、ステップと
を有する方法。
【請求項１５】
前記表示変更データは、前記夫々の表示領域又は表示サブ領域の前記視覚的構成がユーザによって変更され得るか否かを示す変更ロックパラメータを含む、
請求項１４に記載の方法。
【請求項１６】
前記表示変更データは、前記夫々の表示領域又は表示サブ領域の前記視覚的構成のユーザによる変更に課される変更制約を示す少なくとも１つの変更パラメータを含む、
請求項１４又は１５に記載の方法。
【請求項１７】
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
請求項１６に記載の方法。
【請求項１８】
前記少なくとも１つの変更パラメータは、表示中に可視的である前記夫々の表示サブ領域の最低限の割合を定義する表示サブ領域可視パラメータを含む、
請求項１６又は１７に記載の方法。
【請求項１９】
前記表示コンポジションデータは、ＭＭＴコンポジション情報を含む、
請求項１乃至１８のうちいずれか一項に記載の方法。
【請求項２０】
前記ＭＭＴコンポジション情報は、ＸＭＬドキュメントを含む、
請求項１９に記載の方法。
【請求項２１】
１つ以上の表示サブ領域を有する少なくとも１つの表示領域においてメディアデータのコンテンツをレンダリングするための表示コンポジションデータを送信する装置であって、該表示コンポジションデータが、前記メディアデータのコンテンツ成分どうしの空間的関係及び時間的関係のうちの少なくとも１つを定義する、装置において、
夫々の表示領域及び／又は夫々の表示サブ領域について、当該夫々の表示領域又は表示サブ領域の視覚的構成がユーザによって如何にして変更され得るかを示す表示変更パラメータを設定する表示変更パラメータ設定モジュールと、
前記表示コンポジションデータ及び前記表示変更パラメータを送信する送信器と
を有する装置。
【請求項２２】
前記表示変更パラメータ設定モジュールは、前記夫々の表示領域又は表示サブ領域の前記視覚的構成がユーザによって変更され得るか否かを示す変更ロックパラメータを設定するよう構成される、
請求項２１に記載の装置。
【請求項２３】
前記表示変更パラメータ設定モジュールは、前記夫々の表示領域又は表示サブ領域の前記視覚的構成のユーザによる変更に課される変更制約を示す少なくとも１つの変更制約パラメータを設定するよう構成される、
請求項２１又は２２に記載の装置。
【請求項２４】
前記表示変更パラメータ設定モジュールは、前記表示領域の対応する表示サブ領域に関連し、該対応する表示サブ領域が当該表示サブ領域とは異なる他の表示領域においてレンダリングされ得るか否かを示すロック・ツー・ビューパラメータを設定するよう構成される、
請求項２３に記載の装置。
【請求項２５】
前記表示変更パラメータ設定モジュールは、表示中に可視的である前記夫々の表示サブ領域の最低限の割合を定義する表示サブ領域可視パラメータを設定するよう構成される、
請求項２３又は２４に記載の装置。
【請求項２６】
１つ以上の表示サブ領域を有する少なくとも１つの表示領域でのメディアデータのコンテンツの表示を変更する端末デバイスであって、
少なくとも１つの表示領域でメディアデータのコンテンツをレンダリングするための、前記メディアデータのコンテンツ成分どうしの空間的関係及び時間的関係のうちの少なくとも１つを定義する表示コンポジションデータを受信し、且つ、夫々の表示領域及び／又は夫々の表示サブ領域について、当該夫々の表示領域又は表示サブ領域の視覚的構成がユーザによって如何にして変更され得るかを示す表示変更データを受信する受信器と、
前記表示コンポジションデータから、前記メディアデータの１つ以上のコンテンツ成分どうしの空間的及び時間的関係を決定するレンダリングエンジンと、
前記表示コンポジションデータによって定義される第１表示構成に従って、前記表示領域で前記メディアデータのコンテンツ成分を表示するディスプレイと、
前記表示変更データに応じて表示領域又は表示サブ領域を変更するユーザインターフェイスと
を有する端末デバイス。
【請求項２７】
前記表示変更データは、前記夫々の表示領域又は表示サブ領域の前記視覚的構成がユーザによって変更され得るか否かを示す変更ロックパラメータを含む、
請求項２６に記載の端末デバイス。
【請求項２８】
前記表示変更データは、前記夫々の表示領域又は表示サブ領域の前記視覚的構成のユーザによる変更に課される変更制約を示す少なくとも１つの変更パラメータを含む、
請求項２６又は２７に記載の端末デバイス。
【請求項２９】
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
請求項２８に記載の端末デバイス。
【請求項３０】
前記少なくとも１つの変更パラメータは、表示中に可視的である前記夫々の表示サブ領域の最低限の割合を定義する表示サブ領域可視パラメータを含む、
請求項２８又は２９に記載の端末デバイス。
【請求項３１】
プログラム可能な装置のためのコンピュータプログラムであって、
前記プログラム可能な装置にロードされて実行される場合に、請求項１乃至２０のうちいずれか一項に記載の方法を実施する命令のシーケンスを含むコンピュータプログラム。
【手続補正２】
【補正対象書類名】明細書
【補正対象項目名】０１９１
【補正方法】変更
【補正の内容】
【０１９１】
多くの更なる改良及び変形は、上記の実例となる実施形態を参照することで当業者に想到されるであろう。上記の実例となる実施形態は、単なる一例として与えられており、本発明の適用範囲を制限するよう意図されない。本発明の適用範囲は、もっぱら添付の特許請求の範囲によって決定される。特に、異なる実施形態からの異なる特徴は、適宜入れ替えられてよい。
ここで例としていくつかの付記を記載する。
（付記１）
１つ以上の表示サブ領域を有する少なくとも１つの表示領域においてメディアデータのコンテンツをレンダリングするための表示コンポジションデータを送信する方法であって、該表示コンポジションデータが、前記メディアデータのコンテンツ成分どうしの空間的関係及び時間的関係のうちの少なくとも１つを定義する、方法において、
夫々の表示領域及び／又は夫々の表示サブ領域について、当該夫々の表示領域又は表示サブ領域の視覚的構成がユーザによって如何にして変更され得るかを示す表示変更データを送信するステップ
を有する方法。
（付記２）
前記表示変更データは、前記夫々の表示領域又は表示サブ領域の前記視覚的構成がユーザによって変更され得るか否かを示す変更ロックパラメータを含む、
付記１に記載の方法。
（付記３）
前記表示変更データは、前記夫々の表示領域又は表示サブ領域の前記視覚的構成のユーザによる変更に課される変更制約を示す少なくとも１つの変更パラメータを含む、
付記１又は２に記載の方法。
（付記４）
表示領域についての夫々の変更ロックパラメータは、前記表示コンポジションデータの対応するビュー要素に含まれる、
付記２又は３に記載の方法。
（付記５）
表示サブ領域についての夫々の変更ロックパラメータは、前記表示コンポジションデータの対応するエリア要素に含まれる、
付記２乃至４のうちいずれか一項に記載の方法。
（付記６）
前記少なくとも１つの変更パラメータは、夫々の表示領域において表示されるメディアデータが当該夫々の表示領域と異なる他の表示領域において表示され得るか否かを示すロック・ツー・ビューパラメータを含む、
付記３乃至５のうちいずれか一項に記載の方法。
（付記７）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記３乃至６のうちいずれか一項に記載の方法。
（付記８）
前記ロック・ツー・ビューパラメータは、前記表示サブ領域に対応するコンポジションデータのエリア要素に含まれる、
付記７に記載の方法。
（付記９）
前記少なくとも１つの変更パラメータは、表示中に可視的である前記夫々の表示サブ領域の最低限の割合を定義する表示サブ領域可視パラメータを含む、
付記３乃至８のうちいずれか一項に記載の方法。
（付記１０）
前記表示サブ領域可視パラメータは、当該表示サブ領域に対応する表示コンポジションデータのエリア要素に含まれる、
付記９に記載の方法。
（付記１１）
前記表示サブ領域可視パラメータは、当該表示サブ領域と、該表示サブ領域と重なり合う他の表示サブ領域の総面積との比率に基づく、
付記９又は１０に記載の方法。
（付記１２）
サブ領域AreaNについての前記表示サブ領域可視パラメータVisibility(AreaN)は、次の式：
【数７】
2016540419.tif 000002

に従って決定され、AreaiはAreaNと重なり合う全てのAreaを指し、Transparencyは、対応する表示サブ領域の透明度の量に対応する重み係数に対応する、
付記１１に記載の方法。
（付記１３）
前記少なくとも１つの変更パラメータは、対応する表示領域又は表示サブ領域での表示中に可視的であるメディアコンテンツ成分の最低限の割合を定義する表示可視パラメータを含む、
付記３乃至１２のうちいずれか一項に記載の方法。
（付記１４）
１つ以上の表示サブ領域を有する少なくとも１つの表示領域でメディアデータのコンテンツを表示する方法であって、
前記少なくとも１つの表示領域でメディアデータのコンテンツをレンダリングするための、前記メディアデータのコンテンツ成分どうしの空間的関係及び時間的関係のうちの少なくとも１つを定義する表示コンポジションデータと、夫々の表示領域及び／又は夫々の表示サブ領域について、当該夫々の表示領域又は表示サブ領域の視覚的構成がユーザによって如何にして変更され得るかを示す表示変更データとを受信するステップと、
前記表示コンポジションデータによって定義される第１表示構成に従って前記表示領域で前記メディアデータのコンテンツ成分をレンダリングするステップであって、表示領域及び表示サブ領域が、前記表示変更データに応じて前記ユーザによって変更され得る、ステップと
を有する方法。
（付記１５）
前記表示変更データは、前記夫々の表示領域又は表示サブ領域の前記視覚的構成がユーザによって変更され得るか否かを示す変更ロックパラメータを含む、
付記１４に記載の方法。
（付記１６）
前記表示変更データは、前記夫々の表示領域又は表示サブ領域の前記視覚的構成のユーザによる変更に課される変更制約を示す少なくとも１つの変更パラメータを含む、
付記１４又は１５に記載の方法。
（付記１７）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記１６に記載の方法。
（付記１８）
前記少なくとも１つの変更パラメータは、表示中に可視的である前記夫々の表示サブ領域の最低限の割合を定義する表示サブ領域可視パラメータを含む、
付記１６又は１７に記載の方法。
（付記１９）
前記表示コンポジションデータは、ＭＭＴコンポジション情報を含む、
付記１乃至１８のうちいずれか一項に記載の方法。
（付記２０）
前記ＭＭＴコンポジション情報は、ＸＭＬドキュメントを含む、
付記１９に記載の方法。
（付記２１）
１つ以上の表示サブ領域を有する少なくとも１つの表示領域においてメディアデータのコンテンツをレンダリングするための表示コンポジションデータを送信する装置であって、該表示コンポジションデータが、前記メディアデータのコンテンツ成分どうしの空間的関係及び時間的関係のうちの少なくとも１つを定義する、装置において、
夫々の表示領域及び／又は夫々の表示サブ領域について、当該夫々の表示領域又は表示サブ領域の視覚的構成がユーザによって如何にして変更され得るかを示す表示変更パラメータを設定する表示変更パラメータ設定モジュールと、
前記表示コンポジションデータ及び前記表示変更パラメータを送信する送信器と
を有する装置。
（付記２２）
前記表示変更パラメータ設定モジュールは、前記夫々の表示領域又は表示サブ領域の前記視覚的構成がユーザによって変更され得るか否かを示す変更ロックパラメータを設定するよう構成される、
付記２１に記載の装置。
（付記２３）
前記表示変更パラメータ設定モジュールは、前記夫々の表示領域又は表示サブ領域の前記視覚的構成のユーザによる変更に課される変更制約を示す少なくとも１つの変更制約パラメータを設定するよう構成される、
付記２１又は２２に記載の装置。
（付記２４）
前記表示変更パラメータ設定モジュールは、前記表示領域の対応する表示サブ領域に関連し、該対応する表示サブ領域が当該表示サブ領域とは異なる他の表示領域においてレンダリングされ得るか否かを示すロック・ツー・ビューパラメータを設定するよう構成される、
付記２３に記載の装置。
（付記２５）
前記表示変更パラメータ設定モジュールは、表示中に可視的である前記夫々の表示サブ領域の最低限の割合を定義する表示サブ領域可視パラメータを設定するよう構成される、
付記２３又は２４に記載の装置。
（付記２６）
１つ以上の表示サブ領域を有する少なくとも１つの表示領域でのメディアデータのコンテンツの表示を変更する端末デバイスであって、
少なくとも１つの表示領域でメディアデータのコンテンツをレンダリングするための、前記メディアデータのコンテンツ成分どうしの空間的関係及び時間的関係のうちの少なくとも１つを定義する表示コンポジションデータを受信し、且つ、夫々の表示領域及び／又は夫々の表示サブ領域について、当該夫々の表示領域又は表示サブ領域の視覚的構成がユーザによって如何にして変更され得るかを示す表示変更データを受信する受信器と、
前記表示コンポジションデータから、前記メディアデータの１つ以上のコンテンツ成分どうしの空間的及び時間的関係を決定するレンダリングエンジンと、
前記表示コンポジションデータによって定義される第１表示構成に従って、前記表示領域で前記メディアデータのコンテンツ成分を表示するディスプレイと、
前記表示変更データに応じて表示領域又は表示サブ領域を変更するユーザインターフェイスと
を有する端末デバイス。
（付記２７）
前記表示変更データは、前記夫々の表示領域又は表示サブ領域の前記視覚的構成がユーザによって変更され得るか否かを示す変更ロックパラメータを含む、
付記２６に記載の端末デバイス。
（付記２８）
前記表示変更データは、前記夫々の表示領域又は表示サブ領域の前記視覚的構成のユーザによる変更に課される変更制約を示す少なくとも１つの変更パラメータを含む、
付記２６又は２７に記載の端末デバイス。
（付記２９）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記２８に記載の端末デバイス。
（付記３０）
前記少なくとも１つの変更パラメータは、表示中に可視的である前記夫々の表示サブ領域の最低限の割合を定義する表示サブ領域可視パラメータを含む、
付記２８又は２９に記載の端末デバイス。
（付記３１）
１つ以上の表示サブ領域を有する少なくとも１つの表示領域でレンダリングするためのメディアコンテンツを含むメディアデータと、
前記表示領域での前記メディアデータのレンダリングを制御するための、前記メディアデータのコンテンツ成分どうしの空間的関係及び時間的関係のうちの少なくとも１つを定義する表示コンポジションデータと、
夫々の表示領域及び／又は夫々の表示サブ領域について、当該夫々の表示領域又は表示サブ領域の視覚的構成がユーザによって如何にして変更され得るかを示す表示変更データと
を含むデータパケット。
（付記３２）
前記表示変更データは、前記夫々の表示領域又は表示サブ領域の前記視覚的構成がユーザによって変更され得るか否かを示す変更ロックパラメータを含む、
付記３１に記載のデータパケット。
（付記３３）
前記表示変更データは、前記夫々の表示領域又は表示サブ領域の前記視覚的構成のユーザによる変更に課される変更制約を示す少なくとも１つの変更パラメータを含む、
付記３１又は３２に記載のデータパケット。
（付記３４）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記３３に記載のデータパケット。
（付記３５）
前記少なくとも１つの変更パラメータは、表示中に可視的である前記夫々の表示サブ領域の最低限の割合を定義する表示サブ領域可視パラメータを含む、
付記３３又は３４に記載のデータパケット。
（付記３６）
前記表示変更データは、前記表示コンポジションデータに含まれる、
付記３１乃至３５のうちいずれか一項に記載のデータパケット。
（付記３７）
プログラム可能な装置のためのコンピュータプログラム製品であって、
前記プログラム可能な装置にロードされて実行される場合に、付記１乃至２０のうちいずれか一項に記載の方法を実施する命令のシーケンスを含むコンピュータプログラム製品。